(57)【要約】【課題】噴射口から発生する騒音を未然に防止でき、しかも霧状に噴射する液体が勢い余って噴射口から塗布範囲以外の周囲に飛散してしまわないようにする。【解決手段】噴射側へ向けて次第に拡径するテーパ状の噴射口１２を備えたノズル筐体１１と、該ノズル筐体１１の噴射口１２内奥部の中央に設けた液体吐出口１４と、該液体吐出口１４の周囲に設けた複数の気体吐出口１５とを備える。液体吐出口１４から吐出する液体を気体吐出口１５からの圧搾気体の高速気流で微細化した霧となして噴射可能とする。そしてノズル筐体１１の噴射口１２内奥部に、気体吐出口１５の前方を略半分だけ遮断する仕切状態となるように内径側に窄まった環状の突出内端部１６によって形成した円形空間状のミキシング室Ｓを備える。【選択図】図２
2007130514.tif 000002
【特許請求の範囲】
【請求項１】
噴射側へ向けて次第に拡径するテーパ状の噴射口を備えたノズル筐体と、該ノズル筐体の噴射口内奥部の中央に設けた液体吐出口と、該液体吐出口の周囲に設けた複数の気体吐出口とを備え、液体吐出口から吐出される液体を気体吐出口からの圧搾気体の高速気流で微細化した霧となして噴射可能とした液体噴霧装置であって、ノズル筐体の噴射口内奥部に、気体吐出口の前方を略半分だけ遮断する仕切状態となるように内径側に窄まった環状の突出内端部によって形成された円形空間状のミキシング室を備えたことを特徴とする液体噴霧装置。
【請求項２】
気体供給用パイプ内に液体供給用中央パイプが挿入されて二重パイプとなった給送パイプ体を備え、気体供給用パイプ先端の外周縁には、前記ノズル筐体の背部に延設された雌ネジ筒部が捩じ込まれて気体供給用パイプとノズル筐体の気体吐出口とを連通させる雄ネジ部が形成され、液体供給用中央パイプ先端の外周縁には、前記ノズル筐体の液体吐出口の背部に凹設されたテーパー凹部に合致して外部遮断状に連通接続されるテーパー面が形成されている請求項１記載の液体噴霧装置。
【発明の詳細な説明】
【技術分野】
【０００１】
本発明は、例えばダイカストマシンにおいて液状の離型剤をその金型面等に噴霧塗布するに際し、低圧で微細霧を噴射する所謂２液体ノズルとして構成された液体噴霧装置に関するものである。
【背景技術】
【０００２】
従来、この種の液体噴霧装置としては、例えば特許文献１に開示されているように、液体通路の外周側に仕切壁を介して気体通路を設けると共に、該仕切壁の例えば断面多角形状等に形成した噴射口側外形を、気体通路の断面円形の外周面に当接させて該気体通路の噴射側を周方向に沿って複数に分離させ、液体通路から噴射する液体の外周に、分離させた複数の気体通路の開放された噴射口から噴射する気体を混合させて噴霧させるという開放形ノズルによる噴射技術が提案されている。
【特許文献１】特開２００５−２９６８７４号公報
【発明の開示】
【発明が解決しようとする課題】
【０００３】
しかしながら、従来においては、液体の圧送供給に必要な圧力が最低でも例えば３〜４気圧等の高圧となり、このため噴射時の騒音が非常に激しくなる。しかも、液体通路から噴射する液体の外周に、分離させた複数の気体通路の噴射口から噴射する気体を混合させて噴霧させる際に、両噴射口自体が開放形であるため、霧状に噴射する液体が勢い余って両噴射口から塗布方向以外の周囲に飛散してしまうという問題点を有していた。
【０００４】
そこで、本発明は叙上のような従来存した諸事情に鑑み創出されたもので、微細霧にした状態での液体の噴射時に、噴射口から発生する騒音を未然に防止でき、しかも霧状に噴射する液体が勢い余って噴射口から塗布方向以外の周囲に飛散してしまわないようにすることのできる液体噴霧装置を提供することを目的とする。
【課題を解決するための手段】
【０００５】
上述した課題を解決するため、本発明にあっては、噴射側へ向けて次第に拡径するテーパ状の噴射口１２を備えたノズル筐体１１と、該ノズル筐体１１の噴射口１２内奥部の中央に設けた液体吐出口１４と、該液体吐出口１４の周囲に設けた複数の気体吐出口１５とを備え、液体吐出口１４から吐出される液体を気体吐出口１５からの圧搾気体の高速気流で微細化した霧となして噴射可能とした液体噴霧装置であって、ノズル筐体１１の噴射口１２内奥部に、気体吐出口１５の前方を略半分だけ遮断する仕切状態となるように内径側に窄まった環状の突出内端部１６によって形成された円形空間状のミキシング室Ｓを備えたものである。
また、気体供給用パイプ３内に液体供給用中央パイプ４が挿入されて二重パイプとなった給送パイプ体２を備え、気体供給用パイプ３先端の外周縁には、前記ノズル筐体１１の背部に延設された雌ネジ筒部１７が捩じ込まれて気体供給用パイプ３とノズル筐体１１の気体吐出口１５とを連通させる雄ネジ部３ａが形成され、液体供給用中央パイプ４先端の外周縁には、前記ノズル筐体１１の液体吐出口１４の背部に凹設されたテーパー凹部１４ａに合致して外部遮断状に連通接続されるテーパー面４ａが形成されているものとできる。
【０００６】
以上のように構成された本発明に係る液体噴霧装置にあって、ノズル筐体１１の噴射口１２内奥部に形成されたミキシング室Ｓは、液体吐出口１４から吐出される液体を、当該液体吐出口１４周囲の気体吐出口１５からの圧搾気体の高速気流でもって攪拌しながら噴霧させ、例えばミクロンサイズに微細化された霧を形成させる。
このとき、ミキシング室Ｓを形成している噴射口１２内奥部の突出内端部１６は、気体吐出口１５から吐出する高速気流を略半分だけ遮断するため、ミキシング室Ｓ内での気体の滞留時間と共に液体と気体との混合時間を長くするものとなり、従来よりも低圧の例えば１．５気圧程度の圧搾気体による高速気流でも十分に攪拌効率を向上させて、噴霧させる。
給送パイプ体２は、気体供給用パイプ３先端の雄ネジ部３ａに、前記ノズル筐体１１の雌ネジ筒部１７が捩じ込み装着された際に、液体供給用中央パイプ４先端のテーパー面４ａと、ノズル筐体１１の液体吐出口１４のテーパー凹部１４ａとが合致して外部遮断状に連通接続させると同時に気体供給用パイプ３とノズル筐体１１の気体吐出口１５とを連通させる。
【発明の効果】
【０００７】
本発明によれば、微細霧にした状態での例えば離型剤の如き液体の噴射時に、噴射口１２から発生する騒音を未然に防止でき、しかも霧状に噴射する液体が勢い余って噴射口１２からの塗布範囲以外の周囲に飛散してしまわないようにすることができる。
【０００８】
すなわちこれは、本発明が、ノズル筐体１１の噴射口１２内奥部に、気体吐出口１５の前方を略半分だけ遮断する仕切状態となるように内径側に窄まった環状の突出内端部１６によって形成された円形空間状のミキシング室Ｓを備えたからであり、これにより、従来の開放形ノズルにおけるような３〜４気圧の高圧に比して、例えば１．５気圧程度の低圧となった圧搾気体による高速気流でも十分に攪拌効率を向上させることができ、しかも噴射口１２からの騒音防止と同時に噴射口１２から塗布範囲以外の周囲への飛散を未然に防止することができる。
【０００９】
また、気体供給用パイプ３内に液体供給用中央パイプ４が挿入されて二重パイプとなった給送パイプ体２を備え、気体供給用パイプ３先端の外周縁には、前記ノズル筐体１１の背部に延設された雌ネジ筒部１７が捩じ込まれて気体供給用パイプ３とノズル筐体１１の気体吐出口１５とを連通させる雄ネジ部３ａが形成され、液体供給用中央パイプ４先端の外周縁には、前記ノズル筐体１１の液体吐出口１４の背部に凹設されたテーパー凹部１４ａに合致して外部遮断状に連通接続されるテーパー面４ａが形成されているので、気体供給用パイプ３と液体供給用中央パイプ４とによる二重パイプの給送パイプ体２に対し、ミキシング室Ｓを備えたノズル筐体１１の装着が可能となる。これによって従来の開放形ノズルにおけるよりも低圧の圧搾気体を使用可能とし、しかも噴射口１２からの騒音防止と同時に噴射口１２から塗布範囲以外の周囲への飛散を未然に防止することを可能にした液体噴霧装置とすることができる。
【００１０】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１１】
以下、図面を参照して本発明を実施するための最良の一形態を説明すると、図において示される符号１は、低圧で微細霧を噴射する所謂２液体ノズルとして使用される液体噴霧装置である。該液体噴霧装置１は、図１に示すように、例えばエアーコンプレッサー等による圧搾気体供給源Ｒに連結されて倒立配置された略Ｌ字形状の気体供給用パイプ３の水平パイプ側に液体供給用中央パイプ４が挿入されて成る二重パイプ構造による給送パイプ体２と、該給送パイプ体２の一端開口側にねじ込み装着され、噴射方向へ向けて次第に拡径するテーパ状の噴射口１２を備えたノズル筐体１１とから構成されている。
【００１２】
そして、給送パイプ体２の液体供給用中央パイプ４側は液体供給源例えば油性もしくは水性等の液状の離型剤を収容している離型剤保管タンクＱに連結され、ノズル筐体１１から液体供給先例えばダイカストマシンにおける金型面Ｐに離型剤Ｇを圧搾気体の高速気流でもって攪拌しながら噴霧（粉砕）させ、例えばミクロンサイズに微細化（微粒化）された霧状にして噴射させることで当該離型剤Ｇを均一に塗布するものである。
【００１３】
すなわち、給送パイプ体２は、図２に示すように、例えば短尺な水平パイプ３ｂの一端開口側寄りの周側面に例えば長尺な垂直パイプ３ｃの一端開口側が連結されて略Ｌ字形状の気体供給用パイプ３が形成され、気体供給用パイプ３先端の外周縁には雄ネジ部３ａが形成されている。そして、気体供給用パイプ３の内径よりも小さな液体供給用中央パイプ４が垂直パイプ３ｃの位置する水平パイプ３ｂの一端開口側から挿入され、液体供給用中央パイプ４の末端部側周面に拡径されたキャップ状の閉止部４ｂによって水平パイプ３ｂの一端開口側を塞ぐようにしてから例えば溶接等でもって固着されている。また、液体供給用中央パイプ４先端の外周縁にはテーパー面４ａが形成され、このテーパー面４ａのある先端部分だけが気体供給用パイプ３の先端開口側から突出している。
【００１４】
ノズル筐体１１は、図３に示すように、噴射側へ向けて次第に拡径するテーパ状の噴射口１２を備え、ノズル筐体１１の背部には、気体供給用パイプ３の雄ネジ部３ａがねじ込まれるための雌ネジ筒部１７が延設されている。また、ノズル筐体１１の噴射口１２内奥部には壁面部１３が形成され、該壁面部１３には、中央に液体吐出口１４が形成され、該液体吐出口１４の周囲に複数例えば６つの気体吐出口１５が形成されている。
【００１５】
そして、噴射口１２内奥部と壁面部１３とは、当該壁面部１３の気体吐出口１５の前方を略半分だけ遮断する仕切状態（図３（ａ）参照）となるように内径側に窄まった環状の突出内端部１６を介して繋がっており、これにより、全ての気体吐出口１５が中央の液体吐出口１４側に若干向けられるものとなって円形空間状のミキシング室Ｓが形成されるようにしてある。
【００１６】
また、壁面部１３の液体吐出口１４背面側には、前記液体供給用中央パイプ４先端のテーパー面４ａに対応して、開き角度約６０度のテーパー凹部１４ａが凹設されており、ノズル筐体１１の雌ネジ筒部１７が気体供給用パイプ３の雄ネジ部３ａにねじ込まれた際に、気体供給用パイプ３とノズル筐体１１の気体吐出口１５とが連通されると同時に、液体供給用中央パイプ４先端のテーパー面４ａがテーパー凹部１４ａに合致して外部遮断状に連通接続されるものとしてある。
【００１７】
次に、以上のように構成された最良の形態についての使用、組立、動作の一例について説明すると、図１に示すように、給送パイプ体２の気体供給用パイプ３先端にノズル筐体１１の雌ネジ筒部１７側をねじ込み装着する。このとき、液体供給用中央パイプ４先端のテーパー面４ａと、ノズル筐体１１の液体吐出口１４のテーパー凹部１４ａとが合致して外部遮断状に連通接続されると同時に気体供給用パイプ３とノズル筐体１１の気体吐出口１５とが連通した状態となる。この給送パイプ体２は、気体供給用パイプ３が圧搾気体供給源Ｒに連結された状態で配置される。また、給送パイプ体２の液体供給用中央パイプ４側は液体供給源である離型剤保管タンクＱに連結される。
【００１８】
圧搾気体供給源Ｒ、離型剤保管タンクＱそれぞれからの供給動作を開始すると、ノズル筐体１１の液体吐出口１４から離型剤保管タンクＱの離型剤Ｇが吐出し、気体吐出口１５から圧搾気体供給源Ｒの圧搾空気が吐出する。このとき、ノズル筐体１１の噴射口１２内奥部に形成されたミキシング室Ｓは、液体吐出口１４から吐出する離型剤Ｇを、当該液体吐出口１４周囲の気体吐出口１５からの圧搾空気の高速気流でもって攪拌しながら噴霧させ、例えばミクロンサイズに微粒化された霧に変化する。
【００１９】
すなわち、ミキシング室Ｓを形成している噴射口１２内奥部の突出内端部１６により、気体吐出口１５から吐出する高速気流を略半分だけ遮断しているため、ミキシング室Ｓ内での空気の滞留時間と共に離型剤Ｇと空気との混合時間を長くするものとなり、従来よりも低圧の例えば１．５気圧程度の圧搾空気による高速気流でも十分に攪拌効率が向上するのである。
【００２０】
こうしてノズル筐体１１から液体供給先である例えばダイカストマシンにおける金型面Ｐに離型剤Ｇを圧搾空気の高速気流でもって攪拌しながら噴霧させ、例えばミクロンサイズに微粒化された霧状にして噴射させることで当該離型剤Ｇを均一に塗布することができるのである。
【図面の簡単な説明】
【００２１】
【図１】本発明を実施するための最良の形態における使用状態を示す一部切欠斜視図である。
【図２】同じく液体噴霧装置の一部切欠断面図である。
【図３】同じくノズル筐体の一例を示すもので、（ａ）は正面図、（ｂ）は（ａ）中のＸ−Ｘ断面図、（ｃ）は背面図である。
【符号の説明】
【００２２】
Ｐ…金型面                              Ｑ…離型剤保管タンク
Ｒ…圧搾気体供給源                      Ｇ…離型剤
Ｓ…ミキシング室
１…液体噴霧装置                        ２…給送パイプ体
３…気体供給用パイプ                    ３ａ…雄ネジ部
３ｂ…水平パイプ                        ３ｃ…垂直パイプ
４…液体供給用中央パイプ                ４ａ…テーパー面
４ｂ…閉止部
１１…ノズル筐体
１２…噴射口                            １３…壁面部
１４…液体吐出口                        １４ａ…テーパー凹部
１５…気体吐出口                        １６…突出内端部
１７…雌ネジ筒部
【図１】
2007130514.tif 000003
【図２】
2007130514.tif 000004
【図３】
2007130514.tif 000005